(57)【特許請求の範囲】
【請求項１】
一端に採血針を接続し、固定するための針接合部を有し、他端が開口している採血ホルダーにおいて、
前記針接合部が、前記採血針の基部が挿入される開口部を有し、採血針の基部の外径よりも開口部の径が大きくされており、
該開口部の内周面から開口部中心に向かって延ばされており、かつ採血針の基部が開口部に挿入された際に、採血針の基部に押されて弾性変形し、採血針の開口部からの離脱を防止するように採血針の基部に係合される弾性係合片が設けられており、
前記開口部から開口部中心側に向かって突出されている突出部を有し、前記採血針の基部が開口部に挿入されて固定された状態において、前記採血針の基部の外表面と前記突出部とが近接もしくは当接されるように前記突出部が設けられていることを特徴とする、採血ホルダー。
【請求項２】
前記採血針の基部が、外周面に段差部を有し、前記弾性係合片の先端が、前記段差部に係合するように構成されている、請求項１に記載の採血ホルダー。
【請求項３】
前記弾性係合片が、前記採血ホルダーに一体成形により設けられている、請求項１または２に記載の採血ホルダー。
【請求項４】
前記突出部が、前記採血ホルダーにおいて一体成形により設けられている、請求項１〜３のいずれか１項に記載の採血ホルダー。
【発明の詳細な説明】
【技術分野】
【０００１】
本発明は、真空採血等において、一端に採血針が接続され、かつ採血針が接続されている側とは反対側から採血管が挿入される採血ホルダーに関し、より詳細には、採血針が取り付けられる針接合部の構造が改良された採血ホルダーに関する。
【背景技術】
【０００２】
従来、真空採血等においては、採血針が一端に接続される採血ホルダーが広く用いられている。採血ホルダーは、通常、筒状の形状を有し、一端側に採血針が接続される。そして、採血ホルダーの他端は開口しており、該開口から採血管が挿入されるように構成されている。採血に際しては、採血針を採血ホルダーに接続し、採血針を被採血者の血管に挿入した状態で、採血ホルダーに採血管を挿入し、採血針と採血管とを接続する。このようにして、採血を容易にかつ安定に行うことができる。このような採血ホルダーは、例えば下記の特許文献１や特許文献２に開示されている。
【０００３】
特許文献１，２に開示されている採血ホルダーでは、採血針を採血ホルダーに容易に取り付けることを可能とするために、採血針が採血ホルダーの針接続部に螺合し得るように構成されている。すなわち、採血針の基部の外周面に雄ねじが形成されており、採血ホルダーの針接続部には、雌ねじが内周面に設けられた穴が形成されている。
【０００４】
従って、特許文献１，２に記載の採血ホルダーでは、採血針を採血ホルダーに容易に取り付けることが可能とされている。
【特許文献１】特開２０００−６０８２７号公報
【特許文献２】特開平８−１２６６３０号公報
【発明の開示】
【発明が解決しようとする課題】
【０００５】
近年、感染を防止するために、採血ホルダーはディスポーザブル化される傾向が強くなってきている。従って、採血ホルダーに採血針を接続し、採血を行った後に、採血針を取り外すことなく、採血針ごと採血ホルダーを廃棄している。
【０００６】
ところが、特許文献１，２に記載のような従来の採血ホルダーでは、採血針を容易に取り付け得ると同時に、採血ホルダーから採血針を容易に取り外すことが可能とされている。これは、採血ホルダーについては、繰り返し使用することが予定されていたことにもよる。そのため、採血ホルダーのディスポーザブル化が好ましいが、従来の採血ホルダーでは、採血針を容易に取り外し得るため、採血針を誤って交換し、採血ホルダーを再使用するおそれがあった。
【０００７】
本発明の目的は、上述した従来技術の欠点を解消し、採血針を接続し、採血を行った後に、誤って採血針を取り外し、交換し、採血ホルダーを再使用するおそれが少なく、感染症の危険性を低減することを可能とする採血ホルダーを提供することにある。
【課題を解決するための手段】
【０００８】
本発明は、一端に採血針を接続し、固定するための針接合部を有し、他端が開口している採血ホルダーにおいて、前記針接合部が、前記採血針の基部が挿入される開口部を有し、採血針の基部の外径よりも開口部の径が大きくされており、該開口部の内周面から開口部中心に向かって延ばされており、かつ採血針の基部が開口部に挿入された際に、採血針の基部に押されて弾性変形し、採血針の開口部からの離脱を防止するように採血針の基部に係合される弾性係合片が設けられており、前記開口部から開口部中心側に向かって突出されている突出部を有し、前記採血針の基部が開口部に挿入されて固定された状態において、前記採血針の基部の外表面と前記突出部とが近接もしくは当接されるように前記突出部が設けられていることを特徴とする。
【０００９】
本発明に係る採血ホルダーのある特定の局面では、前記採血針の基部が、外周面に段差部を有し、前記弾性係合片の先端が、前記段差部に係合するように構成されている。
【００１０】
本発明に係る採血ホルダーの他の特定の局面では、前記弾性係合片が、前記採血ホルダーに一体成形により設けられている。
【００１２】
本発明に係る採血ホルダーのさらに他の特性の局面では、前記突出部が、前記採血ホルダーにおいて一体成形により設けられている。
【発明の効果】
【００１３】
本発明に係る採血ホルダーでは、一端に採血針を接続し、固定するための針接合部が、採血針の基部が挿入される開口部を有し、開口部の径が、採血針の基部の外径よりも大きくされている。従って、採血針の基部を開口部に容易に挿入することができる。しかも、開口部の内周面から開口部中心に向かって弾性係合片が延ばされている。この弾性係合片は、採血針の基部が開口部に挿入された際に、採血針の基部に押されて弾性変形し、採血針の開口部からの離脱を防止するように採血針の基部に係合される。従って、開口部に採血針を採血針の基部側から挿入し、固定した場合、上記弾性係合片が、採血針の基部に係合されるので、採血後に、採血針を採血針接合部から取り外そうとしても、開口部からの採血針の離脱を確実に防止することができる。
【００１４】
すなわち、採血を行った後に、誤って採血針を取り外し、新たな採血針に交換し、採血を行おうとしても、使用済の採血針を採血ホルダーから取り外すことができない。よって、採血ホルダーを採血のたびごとに確実に廃棄することができ、採血従事者が感染症に感染するおそれを軽減することが可能となる。また、開口部から開口部中心側に向かって突出されている突出部を有し、採血針の基部が開口部に挿入されて固定された状態において、採血針の基部の外表面と突出部とが近接もしくは当接されるように突出部が設けられているため、採血針の基部を採血ホルダーの針接合部の開口部に挿入した状態において、採血針の基部が開口部内において移動し難い。従って、採血ホルダーに採血針を取り付けた状態において、採血針を採血ホルダーに正しい向きに確実に固定することが可能となる。よって、安定にかつ安全に採血を行うことが可能となる。
【００１５】
採血針の基部が、外周面に段差部を有し、弾性係合片の先端が、該段差部に係合するように構成されている場合には、採血針の基部の段差部への弾性係合片の先端の係合により、採血針の開口部からの離脱を確実に防止することができる。
【００１６】
弾性係合片が、採血ホルダーに一体成形により設けられている場合には、一体成形法により、本発明に係る採血ホルダーを安価に製造することができる。
【００１８】
突出部が、採血ホルダーにおいて一体成形により設けられている場合には、突出部を有する採血ホルダーを、部品点数を増加させることなく安価に製造することができる。
【発明を実施するための最良の形態】
【００１９】
以下、図面を参照しつつ本発明の具体的な実施形態を説明することにより、本発明を明らかにする。
【００２０】
図２は、本発明の一実施形態に係る採血ホルダーの斜視図である。採血ホルダー１は、本実施形態では、合成樹脂の一体成形品により形成されている。このような合成樹脂材料としては特に限定されず、ポリプロピレン、ポリアセタール、ナイロンなどを用いることができる。
【００２１】
採血ホルダー１は、筒状本体１ａを有する。本実施形態で、筒状本体１ａは、横断面が楕円形であるが、円形であってもよく、すなわち筒状本体１ａは円筒状であってもよい。
【００２２】
筒状本体１ａの先端には、針接合部１ｂが設けられている。針接合部１ｂは、筒状本体１ａの一端側の端面１ｄから筒状本体１ａの軸方向外側に突出するように設けられている。針接合部１ｂは、開口部１ｃを有する。開口部１ｃに、後述する採血針の基部が挿入されて、採血針が針接合部１に接続、固定される。
【００２３】
従って、開口部１ｃの内径は、採血針の基部の外径よりも大きくされている。
【００２４】
筒状本体１ａの針接合部１ｂとは反対側の端部には、後述の図４に示されているように、開口１ｅが設けられている。開口１ｅは、採血管を挿入する部分である。開口１ｅの周縁にはフランジ部１ｆが設けられている。フランジ１ｆは、採血管を挿入する際の操作を容易とするために、あるいは使用前の採血ホルダー１を立設することを容易とするために設けられている。
【００２５】
図３は、採血ホルダー１の平面図である。採血ホルダー１では、針接合部１ｂの開口部１ｃ内において、複数の弾性係合片２，２，２及び突出部３，３，３が設けられている。本実施形態で、弾性係合片２及び突出部３は、筒状本体１ａと一体成形法により一体に設けられている。もっとも、弾性係合片２及び／または突出部３は、筒状本体１ａと別の材料により形成され、筒状本体１ａの開口部１ｃ内に固定されていてもよい。
【００２６】
好ましくは、本実施形態のように、一体成形により弾性係合片２及び突出部３が設けられる。それによって、部品点数の低減及び製造コストの低減を図ることができる。
【００２７】
弾性係合片２は、開口部１ｃの周縁から開口部中心側に向かって延ばされており、採血針の基部を挿入した際に採血針の基部に押されて弾性変形し得るように構成されている。すなわち、図３及び図１から明らかなように、弾性係合片２は、舌片状の形状を有し、その基端が開口部１ｃの内周面に固定されており、先端２ａが弾性変形に伴って移動し得るように構成されている。
【００２８】
他方、突出部３は、開口部１ｃの内周面から開口部１ｃの中心側に向かって突出されており、突出部３の先端３ａは、採血針の基部を挿入した後において、採血針の基部の外表面と近接または当接されるように設けられている。
【００２９】
本実施形態では、１つの弾性係合片２が設けられている部分と対向する位置に１つの突出部３が設けられているが、突出部３は、弾性係合片２と対を成すように設けられる必要は必ずしもない。また、弾性係合片２及び／または突出部３の数及び形成位置は、特に限定されるものではない。
【００３０】
上記弾性係合片２及び突出部３の機能を、採血ホルダー１の使用方法を説明することにより明らかにする。
【００３１】
採血ホルダー１を用いて採血を行うにあたっては、図４に示すように、採血ホルダー１の一端側の針接合部１ｂの開口部１ｃに、採血針４を挿入する。採血針４は、合成樹脂からなるハブ５を有する。ハブ５に、採血者の血管に挿入される中空針６が固定されている。中空針６の基端は、ハブ５内の中空流路に連ねられている。ハブ５は、中空針６が取り付けられている相対的に径の大きな針保持部５ａと、針保持部５ａに比べて相対的に径の小さな基部５ｂとを有する。基部５ｂは、上記採血ホルダー１の開口部１ｃに挿入され得る大きさとされている。段差部が基部５ｂにおいて、径の小さな小径部５ｃと、小径部５ｃよりも径の大きな鍔部５ｄとの間に設けられている。
【００３２】
他方、基部５ｂには、図１に破線で示す第２の中空針７が固定されており、第２の中空針７が、中空流路に連ねられている。第２の中空針７は、基部５ｂから下方に延ばされており、ゴムスリーブ８により被覆されている。図４では、ゴムスリーブ８が図示されており、内部の第２の中空針は図示されていない。
【００３３】
ところで、採血針４を採血ホルダー１に接続するに際しては、ゴムスリーブ８が設けられている側の端部から採血針４を開口部１ｃに挿入する。この場合、図４に示すように、採血針４の基部５ｂが弾性係合片２の上面側に当接されることになる。そのまま、採血針４をさらに開口部１ｃ内に挿入していくと、基部５ｂにより、弾性係合片２が押され、弾性変形する。その結果、図５に示すように、弾性係合片２の先端２ａが、基部５ｂの段差部に係合されることになる。
【００３４】
図５及び図５の要部を拡大して示す図１から明らかなように、基部５ｂが開口部１ｃに挿入されていくと、基部５ｂの鍔部５ｄが弾性係合片２の先端２ａより下方に移動する。その結果、弾性係合片２の先端２ａは、弾性復元力により、上記段差部に係合される。従って、図１から明らかなように、採血針４を、開口部１ｃから離脱させようと、上方に移動させようと試みたとしても、弾性係合片２の先端２ａが、段差部に係合しているため、採血針４は上方に独立に移動され得ない。
【００３５】
よって、採血後に、採血針４を採血ホルダー１から容易に取り外すことはできない。そのため、採血終了後に、誤って採血針を取り外し、交換するおそれがない。従って、採血ホルダー１を採血針４とともに確実に廃棄することができる。
【００３６】
加えて、本実施形態の採血ホルダー１では、上記複数の弾性係合片２が設けられているだけでなく、突出部３，３，３が設けられているため、採血針４を正しい向きにかつ安定に採血ホルダー１に固定することができる。すなわち、突出部３が設けられていない場合には、図６に示すように、弾性係合片２が採血針４の基部５ｂの段差部に係合した場合、弾性係合片２の弾発力により採血針４が傾くおそれがある。これは、基部５ｂの径が、開口部１ｂの径よりも小さく、両者の間に比較的大きなクリアランスがあることによる。
【００３７】
これに対して、上記実施形態では、図１から明らかなように、突出部３が設けられているため、突出部３の先端３ａと、基部５の外表面とが当接されている。すなわち、突出部３が設けられている分だけ、突出部３の先端３ａと、先端３ａと反対側の開口部端面との間の距離が小さくされている。そして、この距離は、突出部３の先端３ａと、基部５の外表面とが近接または当接されるように選ばれている。従って、弾性係合片２の弾発力により、基部５が弾性係合片２とは反対側に押された場合、基部５の外表面が確実に突出部３の先端３ａに当接され、採血針４が正しい位置に固定される。よって、採血針が傾くおそれがない。
【００３８】
なお、本実施形態で、突出部３は、弾性係合片２が設けられている部分と対向する位置に設けられており、そのため、弾性係合片２の弾発力により、基部５が押された場合、突出部３の先端３ａに確実に基部５の外表面が当接されていた。
【００３９】
しかしながら、突出部３は、弾性係合片２の設けられている部分とは反対側の位置に必ず設けられる必要はない。
【００４０】
また、突出部３は、採血針４が固定された状態において、基部５の外表面と近接または当接される限り、その形状は特に限定されるものではない。
【図面の簡単な説明】
【００４１】
【図１】本発明の一実施形態の採血ホルダーに採血針を固定した構造の要部を示す部分切欠拡大正面断面図。
【図２】本発明の一実施形態に係る採血ホルダーを示す斜視図。
【図３】本発明の一実施形態の採血ホルダーの平面図。
【図４】本発明の一実施形態の採血ホルダーに採血針を装着する工程を説明するための正面断面図。
【図５】本発明の一実施形態に係る採血ホルダーに採血針を装着した状態を示す正面断面図。
【図６】突出部が設けられていない採血ホルダーの問題点を説明するための正面断面図。
【符号の説明】
【００４２】
１…採血ホルダー
１ａ…筒状本体
１ｂ…針接合部
１ｃ…開口部
１ｄ…天面
１ｅ…開口
１ｆ…フランジ部
２…弾性係合片
２ａ…先端
３…突出部
３ａ…先端
４…採血針
５…ハブ
５ａ…針保持部
５ｂ…基部
５ｃ…小径部
５ｄ…鍔部
６…中空針
７…中空針
８…ゴムスリーブ
【図１】
0004723972.tif 000002
【図２】
0004723972.tif 000003
【図３】
0004723972.tif 000004
【図４】
0004723972.tif 000005
【図５】
0004723972.tif 000006
【図６】
0004723972.tif 000007